(57)【特許請求の範囲】
【請求項１】
走行装置（２）を備えた機体フレーム（１）の上側に脱穀装置（３）を設け、該脱穀装置（３）の前側に刈取部（４）を設け、該刈取部（４）には、最前方位置に左右に複数並設した分草装置（１０）と、該分草装置（１０）の後方に複数並設した穀稈を引き起こすラグ式の引起装置（１１）と、引起装置（１１）の後側に設けた穀稈を切断する刈刃（１２）と、該刈刃（１２）の上側から後方に穀稈を搬送する穀稈搬送装置（１３）とを設け、前記刈取部（４）の刈取下側フレーム（２１）に縦支持フレーム（２２）の先端を取付け、該縦支持フレーム（２２）の基部には横伝動ケース（２３）を設け、該横伝動ケース（２３）を前記機体フレーム（１）側に設けた支持台（２４）に回転自在に取付けて横伝動ケース（２３）を中心に刈取部（４）全体が上下回動する構成とし、前記刈取下側フレーム（２１）の左右両側に上方に起立する左右側部フレーム（３０）の下部を夫々固定し、刈取下側フレーム（２１）の左右両側には前後方向の下側前後フレーム（３１）の基部を固定し、該左右の下側前後フレーム（３１）の先端側を刈刃フレーム（３２）により連結し、該刈刃フレーム（３２）に前記刈刃（１２）を摺動自在に取付け、前記刈取下側フレーム（２１）と前記左右側部フレーム（３０）と下側前後フレーム（３１）と前記刈刃フレーム（３２）から固定フレーム（２６）を構成し、各分草装置（１０）を先端に取り付けた前後方向の分草杆（３５）の後部を、左右方向の移動側横フレーム（３７）により連結し、分草杆（３５）の前後方向中間部に引起装置（１１）の引起ケース（３６）の下部を取付け、移動側横フレーム（３７）の左右側には上方に起立する移動側補強フレーム（４０）の下部を夫々固定し、移動側補強フレーム（４０）の上部を左右方向の上部伝動ケース（３９）に固定し、上部伝動ケース（３９）には各引起装置（１１）の引起ケース（３６）の上部の伝動筒（３８）を取付けて、引起ユニット（２８）を構成し、各引起装置（１１）を上部伝動ケース（３９）側に設けたプーリ（７１）と側部フレーム（３０）側に設けたプーリ（４９ａ）との間に着脱自在に設けたベルト（７２）により回転伝達する構成とし、前記固定フレーム（２６）の左右に懸架装置（４３）を設け、該懸架装置（４３）は、前記引起ユニット（２８）の上部伝動ケース（３９）を支受する受部（４４）に該受部（４４）に対してハンドル（４６）により開閉自在の押え杆（４５）を設け、該押え杆（４５）により、上部伝動ケース（３９）を回転自在かつ着脱自在に取付け、前記左右の懸架装置（４３）の後面側には左右方向で両端が前向きの横連結フレーム（８０）の左右両側部分を夫々固定し、該横連結フレーム（８０）の左右中間部には前後方向の上部補強フレーム（８１）の前端を取付け、該上部補強フレーム（８１）の後端部は前記横伝動ケース（２３）に取付け、前記引起ユニット（２８）は、前記固定フレーム（２６）側に上部伝動ケース（３９）を装着した状態では、前記上部伝動ケース（３９）の軸心を回動中心（Ｓ）として上方回動し、前記固定フレーム（２６）側から上部伝動ケース（３９）が離脱すると前後移動可能となる構成とし、前記固定フレーム（２６）と前記移動フレーム（２７）との間にユニット上下シリンダ（４２）を設け、ユニット上下シリンダ（４２）は、前記固定フレーム（２６）側に前記移動フレーム（２７）を装着した状態では移動フレーム（２７）を上下回動させ、前記固定フレーム（２６）側から移動フレーム（２７）を離脱すると前後移動させるように、引起ユニット（２８）の上方回動および前後移動用のシリンダとして兼用する構成とし、前記左右の分草杆（３５）に下部を軸着した前側アーム（５１）の上部と後側アーム（５３）の上部とを軸（５２）により軸着し、該左右の後側アーム（５３）の下部を前記下側前後フレーム（３１）に軸着し、該前側アーム（５１）と後側アーム（５３）を側部フレーム（３０）の外側に設けた刈取部カバー（５４）の内側に側面視で納まるように配置し、前記引起ユニット（２８）を上方回動させたとき、刈刃（１２）と畦等の障害物との位置関係を確認するミラーまたはカメラ（９４）を、前記横連結フレーム（８０）に固定の取付アーム９５の先端に設けたことを特徴とするコンバイン。
【発明の詳細な説明】
【０００１】
【発明の属する技術分野】
本発明は、分草装置と引起装置を、刈刃と搬送装置に対して移動させて畦際の穀稈の刈取を可能にするコンバインの刈取部に係るものである。
【０００２】
【従来技術】
従来、最前方位置に左右に複数並設した分草具の後方に、穀稈を引き起こすラグ式引起装置を複数並設し、引起装置の後側に刈刃を設け、分草具と引起装置とはリンク機構により、上側の回動中心を中心として回動させる構成が記載されている（特許文献１参照）。
【０００３】
【特許文献１】
特開２０００−１６１１４５号公報（３頁、図１、図２）
【０００４】
【発明が解決しようとする課題】
前記公知例は、単にリンク機構により引起ユニットを刈刃に対して退避させる構成のため、引起ユニットと刈刃との間の空間が十分でなく、メンテナンス作業が容易でないという課題がある。
また、公知例の引起ユニットは、リンク機構の存在が邪魔して畦際の穀稈に近づけないという課題がある。
本願はメンテナンス作業を容易にすると共に、畦際の穀稈の刈取作業の機械化を達成したものである。
【０００５】
【発明の目的】
畦際の穀稈の刈取作業の容易化、メンテナンス作業の容易化。
【０００６】
【課題を解決するための手段】
請求項１記載の発明は、走行装置２を備えた機体フレーム１の上側に脱穀装置３を設け、該脱穀装置３の前側に刈取部４を設け、該刈取部４には、最前方位置に左右に複数並設した分草装置１０と、該分草装置１０の後方に複数並設した穀稈を引き起こすラグ式の引起装置１１と、引起装置１１の後側に設けた穀稈を切断する刈刃１２と、該刈刃１２の上側から後方に穀稈を搬送する穀稈搬送装置１３とを設け、前記刈取部４の刈取下側フレーム２１に縦支持フレーム２２の先端を取付け、該縦支持フレーム２２の基部には横伝動ケース２３を設け、該横伝動ケース２３を前記機体フレーム１側に設けた支持台２４に回転自在に取付けて横伝動ケース２３を中心に刈取部４全体が上下回動する構成とし、前記刈取下側フレーム２１の左右両側に上方に起立する左右側部フレーム３０の下部を夫々固定し、刈取下側フレーム２１の左右両側には前後方向の下側前後フレーム３１の基部を固定し、該左右の下側前後フレーム３１の先端側を刈刃フレーム３２により連結し、該刈刃フレーム３２に前記刈刃１２を摺動自在に取付け、前記刈取下側フレーム２１と前記左右側部フレーム３０と下側前後フレーム３１と前記刈刃フレーム３２から固定フレーム２６を構成し、各分草装置１０を先端に取り付けた前後方向の分草杆３５の後部を、左右方向の移動側横フレーム３７により連結し、分草杆３５の前後方向中間部に引起装置１１の引起ケース３６の下部を取付け、移動側横フレーム３７の左右側には上方に起立する移動側補強フレーム４０の下部を夫々固定し、移動側補強フレーム４０の上部を左右方向の上部伝動ケース３９に固定し、上部伝動ケース３９には各引起装置１１の引起ケース３６の上部の伝動筒３８を取付けて、引起ユニット２８を構成し、各引起装置１１を上部伝動ケース３９側に設けたプーリ７１と側部フレーム３０側に設けたプーリ４９ａとの間に着脱自在に設けたベルト７２により回転伝達する構成とし、前記固定フレーム２６の左右に懸架装置４３を設け、該懸架装置４３は、前記引起ユニット２８の上部伝動ケース３９を支受する受部４４に該受部４４に対してハンドル４６により開閉自在の押え杆４５を設け、該押え杆４５により、上部伝動ケース３９を回転自在かつ着脱自在に取付け、前記左右の懸架装置４３の後面側には左右方向で両端が前向きの横連結フレーム８０の左右両側部分を夫々固定し、該横連結フレーム８０の左右中間部には前後方向の上部補強フレーム８１の前端を取付け、該上部補強フレーム８１の後端部は前記横伝動ケース２３に取付け、前記引起ユニット２８は、前記固定フレーム２６側に上部伝動ケース３９を装着した状態では、前記上部伝動ケース３９の軸心を回動中心Ｓとして上方回動し、前記固定フレーム２６側から上部伝動ケース３９が離脱すると前後移動可能となる構成とし、前記固定フレーム２６と前記移動フレーム２７との間にユニット上下シリンダ４２を設け、ユニット上下シリンダ４２は、前記固定フレーム２６側に前記移動フレーム２７を装着した状態では移動フレーム２７を上下回動させ、前記固定フレーム２６側から移動フレーム２７を離脱すると前後移動させるように、引起ユニット２８の上方回動および前後移動用のシリンダとして兼用する構成とし、前記左右の分草杆３５に下部を軸着した前側アーム５１の上部と後側アーム５３の上部とを軸５２により軸着し、該左右の後側アーム５３の下部を前記下側前後フレーム３１に軸着し、該前側アーム５１と後側アーム５３を側部フレーム３０の外側に設けた刈取部カバー５４の内側に側面視で納まるように配置し、前記引起ユニット２８を上方回動させたとき、刈刃１２と畦等の障害物との位置関係を確認するミラーまたはカメラ９４を、前記横連結フレーム８０に固定の取付アーム９５の先端に設けたことを特徴とするコンバインとしたものである。
走行装置２により圃場を走行し、刈取部４の分草装置１０が圃場の穀稈を分草し、分草された穀稈は引起装置１１により引き起こされ、引き起こされた穀稈が刈刃１２により切断され、穀稈搬送装置１３により穀稈を搬送し、脱穀室に穀稈が供給されて脱穀し、畦際では複数並設した分草装置１０と引起装置１１の引起ユニット２８を上方回動させて刈刃１２の前側を開放し、メンテナンス作業を容易に行える。
また、固定フレーム２６に対して取付状態のまま、ユニット上下シリンダ４２を作動させると、引起ユニット２８は回動中心Ｓを中心として上下回動し、固定フレーム２６から外してユニット上下シリンダ４２を作動させると、引起ユニット２８は前後移動する。
引起ユニット２８の引起装置１１の下部を支持するフレーム（分草杆３５）に取付けた前側アーム５１と、固定フレーム２６に取付けた後側アーム５３とが軸５２中心に、引起ユニット２８の上下回動および前後移動に際して回動して引起ユニット２８を支持する。
また、固定フレーム２６には  引起ユニット２８の上部伝動ケース３９を支持する受部４４と該受部４４に上部伝動ケース３９を回転のみ自在に固定する押え杆４５を有する懸架装置４３を左右一対設け、引起ユニット２８の回動中心部Ｓである上部伝動ケース３９を着脱自在および回動自在に構成しているので、懸架装置４３に引起ユニット２８の上部伝動ケース３９を取付けた状態では、引起ユニット２８は上下回動し、懸架装置４３から上部伝動ケース３９を外すと、引起ユニット２８を前後移動可能になり、メンテナンス作業を行う。
【０００７】
【発明の効果】
請求項１の場合、畦際の穀稈は引起ユニット２８が無い分だけ接近して能率よく刈取作業が行えるとともに、メンテナンス作業を容易にでき、また、引起ユニット２８の前後移動と上下回動とをユニット上下シリンダ４２で兼用でき、製造コストを低くして安価に提供でき、また、軽量化することができ、また、引起ユニット２８の前後移動と上下回動の際の振動を軽減させることができ、刈取部４のフレーム剛性を向上させることができ、また、刈取部４が合理的構成となり、作業性を向上させることができる。
【０００８】
【発明の実施の形態】
本発明の実施例を図により説明すると、１は機体フレーム、２は該機体フレーム１の下方位置に設けた走行装置、３は機体フレーム１の上方位置に設けた脱穀装置、４は脱穀装置３の前側に設けた刈取部、５はグレンタンク、６はグレンタンク５内の穀粒を排出する排出オーガ、７は操縦部である。
前記刈取部４は、最先端位置に分草装置１０を左右に並設し、各分草装置１０の後側に分草装置１０が分草した穀稈を引起す引起装置１１を設け、引起装置１１の後側には刈刃１２を設け、刈刃１２の上方から後側には刈刃１２によって刈り取った穀稈を搬送する穀稈搬送装置１３を設ける。
【０００９】
穀稈搬送装置１３の構成は任意であるが、一例を示すと、刈刃１２の後側に刈り取った穀稈の株元を搬送する株元搬送装置１４と穂先搬送装置１５を設け、株元搬送装置１４の始端部下方に株元搬送装置１４より宙吊り状態にスターホイル形状の掻込装置１６を設けて構成している。
また、前記株元搬送装置１４の終端部には扱深さ調節用搬送装置１７を設け、扱深さ調節用搬送装置１７の終端部には脱穀装置３に穀稈を供給する穀稈供給搬送装置１８に穀稈を引き継ぐ引継搬送装置１９の始端部を臨まる。
扱深さ調節用搬送装置１７は株元搬送装置１４あるいは引継搬送装置１９に穀稈を引き継ぐ位置を変更することにより扱深さ調節する。
なお、図４の刈取部４の平面図では、理解を容易にするため扱深さ調節用搬送装置１７の位置を重ならないように変更している。
【００１０】
しかして、前記刈取部４は刈取フレーム２０の刈取下側フレーム２１を縦支持フレーム２２の先端に取付け、縦支持フレーム２２の基部には横伝動ケース２３を設け、横伝動ケース２３は前記機体フレーム１側に設けた支持台２４に回転自在に取付け、もって、縦支持フレーム２２は支持台２４に対して回動自在となる。前記縦支持フレーム２２には刈取上下シリンダ２５の先端を取付け、刈取上下シリンダ２５の基部を機体フレーム１側に取付け、刈取上下シリンダ２５を伸縮させて刈取部４を横伝動ケース２３中心に上下回動させる。
刈取フレーム２０は縦支持フレーム２２側に取付けた固定フレーム２６と該固定フレーム２６に対して移動する移動フレーム２７とに分割形成し、前記移動フレーム２７側には少なくとも分草装置１０および引起装置１１を設けて引起ユニット２８を構成する。引起ユニット２８（移動フレーム２７）は、刈取部４の上部任意固定部に設けた回動中心Ｓ中心に上方回動して刈刃１２の前側に開放空間を形成しうるように構成すると共に、固定フレーム２６に対して前後方向に移動可能に構成する。
【００１１】
即ち、刈取部４は、刈刃１２の前方に位置する刈取部４の前側部分（引起ユニット２８）を刈刃１２に対して上方回動させ、もって、畦際の穀稈の刈取を可能にし、また、引起ユニット２８を固定フレーム２６に対して前方移動させて、引起ユニット２８の裏側と刈刃１２の前側周辺に空間を形成してメンテナンス作業を容易にし、メンテナンス終了後は後方移動させて元に戻すようにしたものである。
しかして、刈刃１２の前側を開放する一例を示すと、前記刈取フレーム２０の刈取下側フレーム２１の左右中間位置に前記縦支持フレーム２２の先端を固定状態に取付け、刈取下側フレーム２１の左右両側に左右側部フレーム３０の下部を固定状態に取付け、また、刈取下側フレーム２１には前方に突き出るように下側前後フレーム３１の基部を固定状態に取付け、下側前後フレーム３１は左右側に複数並設し、下側前後フレーム３１の先端側は刈刃フレーム３２により連結固定し、刈刃フレーム３２に前記刈刃１２を摺動自在に取付ける（なお、刈刃１２の取付および左右摺動する構成は公知であり、その構成は任意であり、詳細は省略する）。
このように、前記刈取下側フレーム２１と左右側部フレーム３０と下側前後フレーム３１と刈刃フレーム３２により固定フレーム２６を構成する。
【００１２】
しかして、移動フレーム２７（引起ユニット２８）は、各分草装置１０を前後方向の軸棒形状により形成した分草杆３５の先端に設け、引起装置１１の引起ケース３６の下部を分草杆３５の前後中間部には固定状態に取付け、各分草杆３５の後部は左右方向の移動側横フレーム３７により連結し、移動側横フレーム３７は前記刈刃１２の上方に臨み、下側前後フレーム３１側に任意の構成で連結する。
前記各引起装置１１の引起ケース３６の上部には上側に突き出す伝動筒３８を設け、各伝動筒３８の上部を左右方向の筒部材により構成した上部伝動ケース３９に固定状態に取付ける。上部伝動ケース３９の左右側には縦の移動側補強フレーム４０の上部を固定し、移動側補強フレーム４０の下部は移動側横フレーム３７に固定する。
したがって、上部伝動ケース３９と分草杆３５と引起ケース３６および移動側補強フレーム４０により側面視三角形形状に形成され、フレーム剛性が向上し、引起ユニット２８を上方回動や前方移動させたときの変形や歪みの発生を抑制する。
【００１３】
また、後述するユニット上下シリンダ４２により引起ユニット２８を押して上下回動させたときも、引起ユニット２８の変形を防止する。
左右側部フレーム３０の上部には夫々懸架装置４３を設け、懸架装置４３に引起ユニット２８の上部伝動ケース３９を着脱自在に取付ける。懸架装置４３の構成は任意であるが、受部４４の上側に開閉自由に枢着連結した押え杆４５と、ハンドル４６と、係合爪４７とにより構成し、ハンドル４６により係合爪４７を受部４４に設けた係止突起４８に係合させて固定し、引起ユニット２８を支受すると共に、着脱可能に構成する。
したがって、引起ユニット２８の固定フレーム２６に対する着脱がワンタッチで行え、作業性を向上させられる。
即ち、刈取下側フレーム２１に懸架装置４３は左右側部フレーム３０を介して取付けられ、懸架装置４３は刈取下側フレーム２１により支受されるので、取付け強度が十分となる。
【００１４】
また、左右側部フレーム３０を介して刈取下側フレーム２１と懸架装置４３とが連結しているので、万一過大な負荷が懸架装置４３に掛かったとき、左右側部フレーム３０を変形させることで、引起ユニット２８、懸架装置４３、刈取下側フレーム２１の破損を回避でき、左右側部フレーム３０修正交換により対処できる。
なお、一対の側部フレーム３０の内の左側部フレーム３０は、中間出力プーリ４９ａを有する中間ギヤボックス４９ｂを設けているので、中間ギヤボックス４９ｂより上方の側部フレーム３０部分が変形するように構成すると、過負荷が掛かったときでも、伝動機構を破損させず、好適である。
【００１５】
しかして、移動フレーム２７の左右側の分草杆３５には左右一対の下部リンク機構５０の前側アーム５１の下部を夫々軸着し、前側アーム５１の上部には軸５２により回動自在に後側アーム５３の上部を取付け、左右の後側アーム５３の下部は下側前後フレーム３１に夫々軸着し、移動フレーム２７と固定フレーム２６との間を下部リンク機構５０により連結する。
したがって、下部リンク機構５０によりフレーム剛性が向上し、特に、引起ユニット２８の上下方回動させたときの左右の振幅を抑制できる。
この場合、下部リンク機構５０は左側の側部フレーム３０の外側に設けた刈取部カバー５４の外観内に前側アーム５１および後側アーム５３が側面視納まるように配置する。
したがって、下部リンク機構５０は引起ユニット２８が通常作業状態のときにリンク支点の軸５２が上方となるので、刈取作業時藁屑の堆積（引っ掛かり）が少なく、穀稈搬送に影響しないで、フレーム剛性を向上させられ、刈取部カバー５４の内側に前側アーム５１および後側アーム５３が位置するので未刈り穀稈の引っ掛かりも防止でき、前側アーム５１および後側アーム５３は左右一対設けているので、フレーム剛性をバランスよく向上させる。
【００１６】
しかして、固定フレーム２６の左右側部フレーム３０には夫々ユニット上下シリンダ４２の基部を取付け、ユニット上下シリンダ４２のロッド５５の先端は左右の移動側補強フレーム４０に夫々取付ける。
ユニット上下シリンダ４２は左右両側に位置させると、引起ユニット２８のフレーム強度を強くし、また、穀稈の搬送通路からも離れて、搬送の障害にならず、引起ユニット２８をバランスよく上下あるいは前後移動させられ、好適である。
即ち、懸架装置４３の係合爪４７を外してユニット上下シリンダ４２のロッド５５を伸ばすと、下部リンク機構５０により下側が支持された引起ユニット２８はユニット上下シリンダ４２により上側が支持され、前後移動する。
したがって、引起ユニット２８の前後移動は上下回動に用いるユニット上下シリンダ４２を利用できるので、構成が簡素になり、コストを低くする。
以上のように、前記移動フレーム２７は、少なくとも分草杆３５と上部伝動ケース３９と、この両者を連結する引起ケース３６および移動側補強フレーム４０と、各分草杆３５を連結する移動側横フレーム３７とを有して構成し、懸架装置４３に上部伝動ケース３９の左右両側を支持させた連結状態で、ユニット上下シリンダ４２を伸縮させると、引起ユニット２８は上部伝動ケース３９の軸心を回動中心Ｓとして上方回動して、畦際の穀稈の刈取を行える他、刈刃１２の前側を開放することで簡単なメンテナンス作業が可能になり、更に、上部伝動ケース３９の部分を左右側部フレーム３０の懸架装置４３から外してユニット上下シリンダ４２を伸縮させると、引起ユニット２８は固定フレーム２６に対して着脱でき、固定フレーム２６より引起ユニット２８を外して前方移動させると、一層メンテナンス作業が容易になる。
【００１７】
なお、各分草装置１０は公知のものであり、側面視後方に至るに従い高くなる傾斜面を有して形成し、また、前記引起装置１１は公知の構成でよく、一例を示すと、引起装置１１の引起ケース３６の上部に前後方向の横軸５７により駆動歯車５８を設け、駆動歯車５８とローラ（図示省略）との間に引起ラグ５９を複数起伏自在に取付けたチエン（図示省略）を掛け回し、引起ラグ５９は引起ケース３６の下方位置で起立して穀稈を引起し、引起ケース３６の上部所定位置で引起ケース３６内に格納されて下降し、これを反復して穀稈を引き起こすようにすればよいが、別途左右方向の横軸中心に前記引起ラグ５９に対して交差方向となる前後方向に回転する引起（分草）ラグを設けてもよく、分草装置１０に続いて分草引き起こしできるものであればよい。
図８は回転伝達機構の一例を示すものであり、６０はエンジン、６１はミッション６２に設けた油圧式変速装置、６３はミッション６２より走行速度と同期させた回転を刈取部４に出力する刈取用出力軸であり、刈取用出力軸６３からの回転が縦支持フレーム２２の基部に設けた横伝動ケース２３に設けた入力プーリ６４に入力され、この回転が縦支持フレーム２２内の伝動軸６５に伝達される。
【００１８】
６６は刈取下側フレーム２１内に設けた伝動軸であり、伝動軸６６の回転が左右側部フレーム３０内に設けた伝動軸６７に伝達される。左側部フレーム３０には中間出力プーリ４９ａを設ける。また、上部伝動ケース３９にはギヤボックス６９を設け、ギヤボックス６９の中間軸７０に設けた入力プーリ７１と中間出力プーリ４９ａの間にベルト７２を掛け回す。
したがって、ベルト７２の着脱により引起ユニット２８への回転伝達の継脱ができ、固定フレーム２６に対する移動フレーム２７の着脱が容易になる。７３はテンションクラッチプーリである。
また、ベルト７２は刈取部４の左側に配置し、ベルト７２の着脱するときに操縦部７が邪魔にならないようにして、作業性を向上させている。
【００１９】
また、中間軸７０はギヤボックス６９内に上部伝動ケース３９の上部伝動軸７５と同心状に配置し、ギヤボックス６９内に上部伝動軸７５と平行に設けたチェンジ軸７６には複数の歯数の相違する変速歯車７７を設けて引起変速装置を構成する。引起変速装置は刈刃１２や穀稈搬送装置１３の作業速度に対して引起装置１１の引起ラグ５９の引起し作業速度を独立して変更するものであり、上部伝動軸７５と中間軸７０を同心に配置しすることで、引起ユニット２８の上下回動に影響のない引起変速装置が得られる。
なお、刈刃１２の後側の穀稈搬送装置１３は刈刃１２と共に固定フレーム２６に位置固定に設けるだけでなく、引起ユニット２８を移動させた後も駆動可能にすると、刈刃１２により刈り取った穀稈を脱穀装置３の脱穀室まで搬送できて、作業が容易となり、好適である。
【００２０】
しかして、前記左右の懸架装置４３の後面側には左右方向で両端が前向きの横連結フレーム８０の左右両側部分を夫々固定し、横連結フレーム８０は穀稈搬送装置１３による搬送穀稈の上方位置するように配置する。そのため、搬送の障害とならずに固定フレーム２６の剛性を向上させる。
即ち、横連結フレーム８０により左右の側部フレーム３０および左右の懸架装置４３が連結されることになり、横方向からの荷重に対する剛性を向上させ、好適である。
横連結フレーム８０の左右中間部には前後方向の上部補強フレーム８１の前端を固定状態に取付け、上部補強フレーム８１の後端部は前記横伝動ケース２３に固定状態に取付ける。したがって、横連結フレーム８０は上部補強フレーム８１を介して機体フレーム１側に固定の支持台２４に連結され、その結果、一層、懸架装置４３による支持構成を堅牢にできる。
【００２１】
しかして、引起ユニット２８の回動中心Ｓとなる上部伝動ケース３９と分草杆３５との間にはケース補強フレーム８２を設ける。実施例ではケース補強フレーム８２の上部は伝動筒３８に固定し、ケース補強フレーム８２は引起ケース３６の後側に位置させる。
そのため、引起ユニット２８の移動フレーム２７は、上部伝動ケース３９と分草杆３５との間を、複数ある各引起装置１１の裏側に設けたケース補強フレーム８２で連結されるので、フレーム剛性が向上し、引起ユニット２８は上方回動や前方移動させたときの変形や歪みの発生を抑制する。
そのため、引起ケース３６内に設けたフレーム（図示省略）を含めて引起ケース３６を合成樹脂により構成することも可能になって、重量を余り増加させずに、フレーム剛性の向上が可能になり、好適である。
【００２２】
しかして、図１４〜図１６はユニット上下シリンダ４２とは別に引起ユニット２８の回動用シリンダ８５を設けた他の実施例であり、回動用シリンダ８５の基部は固定フレーム２６の左右の側部フレーム３０の夫々に夫々取付け、回動用シリンダ８５のロッド８６の先端は上部伝動ケース３９に設けたステー８７に取付ける。ステー８７は後側に突出させ、回動用シリンダ８５はロッド８６を縮小（圧縮方向）させて動力を出すように配置して引起ユニット２８を上方回動させる。回動用シリンダ８５は左右両側に位置するので、引起ユニット２８のフレーム強度を強くし、また、穀稈の搬送通路からも離れて、搬送の障害にならない。また、左右一対の回動用シリンダ８５により引起ユニット２８をバランスよく上下あるいは前後移動させられる。
【００２３】
しかして、刈取フレーム２０の固定フレーム２６と移動フレーム２７の間には、移動フレーム２７をロックするロック装置８８を設ける。ロック装置８８は移動側横フレーム３７に係合突起８９を設け、係合突起８９に係合するロック体９０を刈刃フレーム３２に設ける。ロック体９０には常時ロック方向に付勢するバネ９１とロック体９０をロック解除させるロックシリンダ９２を設ける。８６は係合溝であり、係合突起８９に係合して位置決め作用を奏する。
ロックシリンダ９２はユニット上下シリンダ４２の油圧力を利用してロック解除するように構成する。そのため、特別に油圧回路または電気制御（モータ）等を設けることなく安価に構成できる。
９３はユニット上下シリンダ４２とロックシリンダ９２とを切替えるバルブである。
【００２４】
しかして、引起ユニット２８を上方回動させたとき、刈刃１２と畦等の障害物との位置関係を確認するミラーまたはカメラ９４を刈取部４の側部に設ける。実施例では、ミラーまたはカメラ９４は左右一対設け、左側のミラーまたはカメラ９４は横連結フレーム８０に固定の取付アーム９５の先端に設け、右側のミラーまたはカメラ９４は操縦部７の側部に固定の取付アーム９５に取付けているが、左右何れか一個でもよい。カメラ９４により構成した場合は、操縦部７に設けたモニタ（図示省略）に表示する。
ミラーまたはカメラ９４は操縦部７より刈刃１２と畦等の障害物との位置関係（距離）を確認でき、不用意に刈刃１２を障害物に当てて破損させるのを防止する。
即ち、通常作業者は分草装置１０の先端を目標にして作業を行うが、引起ユニット２８を上方回動させると、この分草装置１０を目標とする作業ができずに、作業性が低下する場合があるが、ミラーまたはカメラ９４により操縦部７にいる作業者は畦際の穀稈まで直接近づいて切断する刈取作業を視認でき、作業性および操作性を向上させ、好適である。
【００２５】
しかして、９６は刈取下側フレーム２１の左側に設けたクランクアームであり、クランクアーム９６にはロッド９７を接続し、ロッド９７にはベルクランク９８の一端を接続し、ベルクランク９８の他端は刈刃１２に設けたガイド９９に係合させる。この刈刃１２に回転伝達する刈刃回転伝達機構は左側の分草杆３５より外側に配置する。
したがって、引起ユニット２８が上下する時、刈刃回転伝達機構に分草杆３５および移動側横フレーム３７が干渉するのを防止し、穀稈の搬送を円滑にする。実施例では、移動側横フレーム３７の端部は刈刃回転伝達機構よりも内側に位置させ、分草杆３５の基部を内側に斜めに傾斜させ、一層干渉を避ける効果を奏している。
なお、前記穀稈搬送装置１３には、扱深さ調節用搬送装置１７や引継搬送装置１９を含めてもよく、また、掻込装置１６を穀稈搬送装置１３より除外してもよく、名称等によって限定されない。
【００２６】
走行装置２により圃場を走行すると、刈取部４の分草装置１０が圃場の穀稈を分草し、分草された穀稈は引起装置１１により引き起こされ、引き起こされた穀稈が刈刃１２により切断され、穀稈搬送装置１３により穀稈供給搬送装置１８に穀稈を搬送し、穀稈供給搬送装置１８により脱穀室に穀稈が供給されて脱穀される。
刈取部４は、刈取フレーム２０に分草装置１０と引起装置１１と刈刃１２と穀稈搬送装置１３を設けて構成し、刈取フレーム２０は縦支持フレーム２２の先端に取付けられ、縦支持フレーム２２の基部は機体フレーム１側に設けた支持台２４に回動自在に取付けているから、刈取上下シリンダ２５を伸縮させると、刈取部４を上下させることができ、これにより刈取部４全体を上下させて刈高さを調節して前進して作業を行う。
【００２７】
しかして、刈取部４の刈取フレーム２０には少なくとも分草装置１０と引起装置１１とを有する引起ユニット２８を設け、この引起ユニット２８全体が刈取部４の上部任意固定部に設けた回動中心Ｓを中心として上下回動するように構成しているから、刈刃１２の前方に位置する引起ユニット２８を刈刃１２に対して上方回動させると、回動させる前の分草装置１０および引起装置１１の当初位置まで刈刃１２が前進できるので、畦際の穀稈に刈刃１２を可及的に接近させて手作業によらずに畦際（枕地）の穀稈の機械刈りが可能となる。
この場合、引起ユニット２８は引起装置１１の引起ケース３６自体が回動中心Ｓを中心として上方回動するので、畦際の穀稈に刈刃１２を接近させられる。
また、刈刃１２の前側を開放することで簡単なメンテナンス作業が可能になり、上部伝動ケース３９の部分を左右側部フレーム３０の懸架装置４３から外してユニット上下シリンダ４２を伸縮させると、引起ユニット２８は固定フレーム２６に対して着脱でき、固定フレーム２６より引起ユニット２８を外して前方移動させると、一層メンテナンス作業が容易になる。
【図面の簡単な説明】
【図１】    コンバインの側面図。
【図２】    刈取部の側面図。
【図３】    刈取部の斜視図。
【図４】    同平面図。
【図５】    懸架装置の一例を示す側面図。
【図６】    懸架装置の一例を示す側面図。
【図７】    引起ユニットの下部リンク機構の概略斜視図。
【図８】    回転伝達機構の概略図。
【図９】    油圧経路の実施例図。
【図１０】  引起ユニットの上方回動状態側面図。
【図１１】  同移動状態説明図。
【図１２】  ケース補強フレームを示した正面図。
【図１３】  同斜視図。
【図１４】  引起ユニットの回動用シリンダの他の実施例の側面図。
【図１５】  同油圧経路の実施例図。
【図１６】  同回転伝達機構の概略図。
【図１７】  引起ユニットのロック装置の斜視図。
【図１８】  同油圧経路の実施例図。
【図１９】  同側面図。
【図２０】  ミラーまたはカメラを設けた刈取部の正面図。
【図２１】  同概略フレーム図。
【図２２】  刈刃の伝動機構の平面図。
【符号の説明】
１…機体フレーム、２…走行装置、３…脱穀装置、４…刈取部４、５…グレンタンク、６…排出オーガ、７…操縦部、１０…分草装置、１１…引起装置、１２…刈刃、１３…穀稈搬送装置、１４…株元搬送装置、１５…穂先搬送装置、１６…掻込装置、１７…扱深さ調節用搬送装置、１８…穀稈供給搬送装置、１９…引継搬送装置、２０…刈取フレーム、２１…刈取下側フレーム、２２…縦支持フレーム、２３…横伝動ケース、２４…支持台、２５…刈取上下シリンダ、２６…固定フレーム、２７…移動フレーム、２８…引起ユニット、３０…左右側部フレーム、３１…下側前後フレーム、３２…刈刃フレーム、３５…分草杆、３６…引起ケース、３７…移動側横フレーム、３８…伝動筒、３９…上部伝動ケース、４０…移動側補強フレーム、４２…ユニット上下シリンダ、４３…懸架装置、４４…受部、４５…押え杆、４６…ハンドル、４７…係合爪、４８…係止突起、４９ｂ…中間ギヤボックス、５０…下部リンク機構、５１…前側アーム、５２…軸、５３…後側アーム、５４…刈取部カバー、５５…ロッド、５７…横軸、５８…駆動歯車、５９…引起ラグ、６０…エンジン、６１…油圧式変速装置、６２…ミッション、６３…刈取用出力軸、６４…入力プーリ、６５…伝動軸、６６…伝動軸、６７…伝動軸、４９ａ…中間出力プーリ、６９…ギヤボックス、７０…中間軸、７１…入力プーリ、７２…ベルト、７３…テンションクラッチプーリ、７５…上部伝動軸、７６…チェンジ軸、７７…変速歯車、８０…横連結フレーム、８１…上部補強フレーム、８２…ケース補強フレーム、８５…回動用シリンダ、８６…ロッド、８７…ステー、８８…ロック装置、８９…係合突起、９０…ロック体、９１…バネ、９２…ロックシリンダ、９３…バルブ、９４…ミラーまた…カメラ、９５…取付アーム、９６…クランクアーム、９７…ロッド、９８…ベルクランク、９９…ガイド。
【図１】
0004367608.tif 000002
【図２】
0004367608.tif 000003
【図３】
0004367608.tif 000004
【図４】
0004367608.tif 000005
【図５】
0004367608.tif 000006
【図６】
0004367608.tif 000007
【図７】
0004367608.tif 000008
【図８】
0004367608.tif 000009
【図９】
0004367608.tif 000010
【図１０】
0004367608.tif 000011
【図１１】
0004367608.tif 000012
【図１２】
0004367608.tif 000013
【図１３】
0004367608.tif 000014
【図１４】
0004367608.tif 000015
【図１５】
0004367608.tif 000016
【図１６】
0004367608.tif 000017
【図１７】
0004367608.tif 000018
【図１８】
0004367608.tif 000019
【図１９】
0004367608.tif 000020
【図２０】
0004367608.tif 000021
【図２１】
0004367608.tif 000022
【図２２】
0004367608.tif 000023